(57)【要約】【課題】第１にトイレでのロールペーパーの引き出し回転音の激減を課題とする。  第２にロールペーパーの交換を片手で簡単に出来ることを課題とする。第３にロールペーパーの切断も片手ででき、次に使う際のロールペーパーの切れ端を摘まみ易くする事を課題とする。【解決手段】一般的な横型ロールペーパーホルダーの硬質な保持部材を軟質材の物に変更し紙菅の内径約３８ｍｍに軽く内設するローラー刷毛や発泡ポリエチレンを保持部材として活用した事を特徴とし、ロールペーパーを縦置き型にする事によりロールペーパーの引き出し回転音を激減しようとするものである。またロールペーパー切断後の切れ端を把持できる鋸の歯の高さとピッチを共に5mm以上とし、ロールペーパーの紙幅より短尺にした鋸歯の両刃を略函体に附設した事を特徴とする縦型ロールペーパーホルダーを構成するものである。【選択図】図２
2017086110.tif 000002
【特許請求の範囲】
【請求項１】
ロールペーパー１０の引き出し回転音を激減する目的で、縦置きするロールペーパー１０の紙菅１１の内径約３８ｍｍに軽く内接する保持部材としてペイント用ローラー刷毛７や発泡ポリエチレン５など軟質材を活用し、略函体１の平滑面の天面３に立設した事を特徴とする縦型ロールペーパーホルダー。
【請求項２】
ロールペーパー１０の切断用として鋸歯の歯の高さとピッチが共に５ｍｍ以上とした事を特徴とする鋸歯の両刃９を略函体１に付設した請求項１の縦型ロールペーパーホルダー。
【発明の詳細な説明】
【技術分野】
【０００１】
トイレの一般的な横型ロールペーパーホルダーと比較して、シンプルな構成でより利便性の良い縦型ロールペーパーホルダーを提供するものである。
【背景技術】
【０００２】
一般的な横型ロールペーパーホルダーではロールペーパーを保持する部材の構成として横方向に可動するばね付き保持部材や上方向にのみ可動する保持部材や棒状の保持部材などがある。これらはロールペーパーの交換をし易くする為、ロールペーパーの紙菅の内径より小さく設計され硬質な部材で形成されているのでロールペーパーを引き出す際にロールペーパーの回転ぶれによる回転音が発生し易い事があった。又、一般的な横型ではロールペーパーの交換取り付けや切断を片手で簡単に出来るものが無かった。
【先行技術文献】
【特許文献】
【０００３】
【特許文献１】特許文献1：特開２０１２−０００３４６  特許文献２：特開２００６−１４１９２１  特許文献３：特開２０１４−０１４４７１  特許文献４：特開２００６−０２１００６  特許文献５：特開２０１０−０１２０６３  特許文献６：特開２００７−１０５４４６  特許文献７：特開２０１４−０１４４７１  特許文献８：特開２００６−０２１００６  特許文献９：特開２００３−０８９４５５
【発明の概要】
【発明が解決しようとする課題】
【０００４】
ロールペーパーの引き出し回転音を激減する事を主題とし、ロールペーパーの交換取り付けと切断及び次の摘まみ出しが片手で簡単にできる事を課題とする。
【課題を解決するための手段】
【０００５】
横型ロールペーパーホルダーのロールペーパーの引き出し回転音を激減する目的で、ロールペーパーの保持部材を従来の様な硬質なものではなく、ロールペーパーの保持部材として紙菅の内径に軽く内接するペイント用ローラー刷毛や発泡ポリエチレンなどの軟質材で形成されたものをロールペーパーを縦置きする保持部材として活用し略函体の平滑面の天面に立設する。立設された軟質材の保持部材に略平行でロールペーパーの紙幅より短尺な鋸歯の両刃を略函体に附設した事を特徴とする縦型ロールペーパーホルダーを構成するものである。
【発明の効果】
【０００６】
縦置きするロールペーパーを保持する部材としてロールペーパーの紙菅の内径に軽く内接する軟質材の保持部材を活用し、平滑面の天面に立設した事によりロールペーパーの中心軸回転ぶれが無くなりスムースにロールペーパーを引き出す事ができ回転音が激減する。
【０００７】
ロールペーパーの交換の際、立設された軟質の保持部材に落とし込み、嵌めるだけなので片手で簡単に交換取り付けが出来る。
【０００８】
歯の高さとピッチが５ｍｍ以上であることを特徴とする鋸歯の両刃はロールペーパーの幅より短尺ではあるがロールペーパーの切断が片手で出来、切断されたロールペーパーの切れ端は鋸歯の両刃に把持される。
【０００９】
また、鋸歯の両刃がロールーペーパーより短尺であるのでロールペーパー切断後、鋸歯の両刃の上部にロールペーパーの切れ端が現出しているので片手で摘まみ易く、次のロールペーパーを引き出し易くなる。
【００１０】
シンプルな略函体の構成によりロールペーパーのスペア用収納スペースも簡単にできる。
【図面の簡単な説明】
【００１１】
【図１】ロールペーパー１０を縦置きのする保持部材として軟質材のペイント用ローラ−刷毛７を活用し、軸穴８に略函体１の天面３に設けた中心軸６ａを挿入する事で略函体１の平滑面の天面３にペイント用ローラー刷毛７を立設し、ロールペーパー１０切断用の鋸歯の両刃９を略函体１に附設したロールペーパーホルダーの斜視図である。
【図２】図１に表したロールペーパーホルダーの略函体１の内側にロールペーパー１０のスペアを底面４の上に収納し、平滑面の天面３にペイント用ローラー刷毛７で保持された縦置きロールペーパー１０の切断後に切れ端１２が鋸歯の両刃９の上部に現出している状態を表した縦型ロールペーパーの実施例の斜視図である。鋸歯の両刃９はロールペーパー１０の紙幅より短尺なものである事を特徴としている。
【図３】図２の正面図を表したものである。
【図４】発泡ポリエチレン５をロールペーパー１０の保持部材とした場合の１例を表した図面である。
【発明を実施するための形態】
【００１２】
ロールペーパー１０の回転振れによる引き出し回転音を激減する目的で従来のロールペーパー１０の横置き型から縦置き型に変更し縦型ロールペーパーホルダーを構成するものである。ロールペーパー１０を縦置きする保持部材としてロールペーパー１０の内径に軽く内接する軟質材の図１のペイント用ローラー刷毛７や図４の発泡ポリエチレン５を活用し略函体１の平滑面の天面３に立設する。また切断刃としてロールペーパー１０切断後にロールペーパー切れ端１２を把持できる鋸歯の両刃９を略函体１に附設することを特徴とする縦型ロールペーパーホルダーを構成するものである。
【実施例】
【００１３】
図２は実施の１例として、ロールーペーパー１０の紙菅１１の内径約３８ｍｍに軽く内接するロールペーパー１０保持部材としてペイント用ローラー刷毛７を活用し、軸穴８に略函体１の天面３に取付けた中心軸６ａを挿入することで、略函体１の平滑面の天面３にペイント用ローラー刷毛７を立設したものである。また、切断後のロールペーパー切れ端１２を把持し易やすくする目的で鋸歯の歯の高さとピッチを共に５mm以上とし、鋸歯の長さをロールペーパー１０の紙幅より短尺とした事を特徴する両刃９をロールペーパー１０保持部材に略平行で略函体１に附設した縦型ロールペーパーホルダーである。
【産業上の利用可能性】
【００１４】
縦型ロールペーパーホルダールはペーパーホルダーの引き出しがスムースで回転音が静かである。又、ロールペーパーホルダーの構成がシンプルなのでコスト面でも優れ利便性が高い。
【符号の説明】
【００１５】
１・・・略函体    ２ａ、２ｂ、２ｃ・・・壁面取り付け穴    ３・・・平滑面の天面    ４・・・底面    ５・・・発泡ポリエチレン    ６ａ,６ｂ・・・中心軸      ７・・・ペイント用ローラー刷毛    ８・・・軸穴    ９・・・鋸歯の両刃    １０・・・ロールペーパー    １１・・・紙菅    １２・・・ロールペーパー切れ端
【図１】
2017086110.tif 000003
【図２】
2017086110.tif 000004
【図３】
2017086110.tif 000005
【図４】
2017086110.tif 000006